(57)【特許請求の範囲】
【請求項１】
入力系情報機器によって表現される色を出力系情報機器によって再現可能な色域内の色に変換して色域を圧縮する色域圧縮装置において、
上記入力系情報機器による色が有彩色であるか無彩色であるかを判定する収れん点算出実行判定部と、
上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく複数の座標を収れん点として算出する収れん点算出部と、
上記収れん点算出実行判定部が有彩色であると判定した場合に、上記収れん点と上記入力系情報機器による色に対応する点とを結ぶ直線上で、かつ上記出力系情報機器による色域内のいずれかの点の座標を圧縮点として算出する第１の圧縮点算出部と、
上記収れん点算出実行判定部が無彩色であると判定した場合に、上記出力系情報機器による色域内で彩度が０であるいずれかの点の座標を圧縮点として算出する第２の圧縮点算出部と、
上記収れん点算出実行判定部が有彩色であると判定した場合は、上記入力系情報機器による色を上記第１の圧縮点算出部により算出された圧縮点に対応する色に変換し、上記収れん点算出実行判定部が無彩色であると判定した場合は、上記入力系情報機器による色を上記第２の圧縮点算出部により算出された圧縮点に対応する色に変換する圧縮部とを
備えたことを特徴とする色域圧縮装置。
【請求項２】
上記収れん点算出部は、
上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、
上記入力された色の色相が上記代表色の色相に対して中間の色相である場合は、上記入力系情報機器による色の色相に基づいて上記代表色の色相に対応する収れん点から線形補間した点の座標を収れん点として算出するように構成されたことを特徴とする請求項１に記載の色域圧縮装置。
【請求項３】
上記収れん点算出部は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたことを特徴とする請求項１に記載の色域圧縮装置。
【請求項４】
上記収れん点算出部は、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたことを特徴とする請求項１、又は、請求項３のいずれかに記載の色域圧縮装置。
【請求項５】
上記収れん点算出部は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、
上記第１の収れん点から上記第２の収れん点までの線分の色相に対する線形補間により決定される点の座標を収れん点として算出するように構成されたことを特徴とする請求項１、又は、請求項３、又は、請求項４のいずれかに記載の色域圧縮装置。
【請求項６】
上記収れん点算出部は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、
上記第２の収れん点から上記第１の収れん点までの線分の色相に対する線形補間により決定される点の座標を収れん点として算出するように構成されたことを特徴とする請求項１、又は、請求項３ないし請求項５のいずれかに記載の色域圧縮装置。
【請求項７】
上記収れん点算出部は、
上記入力系情報機器による色に基づいて決定される色相での上記出力系情報機器の、彩度の最大値、色域の平均値、色域の重心値、色域の中央値の４値のいずれかの色と等明度であるいずれかの点の座標を収れん点として算出するように構成されたことを特徴とする請求項１ないし請求項６のいずれかに記載の色域圧縮装置。
【請求項８】
上記収れん点算出部は、
上記入力系情報機器による色に基づいて決定される色相での上記出力系情報機器の、彩度の最大値、色域の平均値における彩度の最大値、色域の重心値における彩度の最大値、色域の中央値における彩度の最大値の４値のいずれかをＣmax、任意のパラメータをkc（0＜kc＜1）としたときに、式（１）を満たす彩度Ｃnの点の座標を収れん点として算出するように構成されたことを特徴とする請求項７に記載の色域圧縮装置。
Ｃn ＝ Kc×Ｃmax      （１）
【請求項９】
上記収れん点算出部は、
上記収れん点と等色相、等彩度、かつ明度軸と平行な直線と、上記出力系情報機器による色域の輪郭とが交わる２点の間で、上記入力系情報機器による色の彩度に応じて決定される点を新たな収れん点として算出するように構成されたことを特徴とする請求項１ないし請求項８のいずれかに記載の色域圧縮装置。
【請求項１０】
上記収れん点算出部は、
上記収れん点と等色相、等明度、かつ無彩色の色に対応する点と、上記収れん点との間で、上記入力された色の彩度に応じて決定される点を新たな収れん点として算出するように構成されたことを特徴とする請求項１ないし請求項９のいずれかに記載の色域圧縮装置。
【請求項１１】
上記収れん点算出部は、
上記入力された色の彩度が任意所定の彩度ａ以上かまたはａ以下かを判定し、ａ以上の場合には上記収れん点を新たな収れん点とし、ａ未満の場合には上記収れん点と等色相、等明度、かつ無彩色の色に対応する点と、上記収れん点との間で、上記入力された色の彩度に応じて決定される点を新たな収れん点として算出するように構成されたことを特徴とする請求項１ないし請求項９記載の色域圧縮装置。
【請求項１２】
入力系情報機器によって表現される色を出力系情報機器によって再現可能な色域内の色に変換して色域を圧縮する色域圧縮方法において、
上記入力系情報機器による色が有彩色であるか無彩色であるかを判定する収れん点算出実行判定工程と、
上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく複数の座標を収れん点として算出する収れん点算出工程と、
収れん点算出実行判定工程で有彩色であると判定した場合に、上記収れん点と上記入力系情報機器による色に対応する点とを結ぶ直線上で、かつ上記出力系情報機器による色域内のいずれかの点の座標を圧縮点として算出する第１の圧縮点算出工程と、
上記収れん点算出実行判定工程で無彩色であると判定した場合に、上記出力系情報機器による色域内で彩度が０であるいずれかの点の座標を圧縮点として算出する第２の圧縮点算出工程と、
上記収れん点算出実行判定工程で有彩色であると判定した場合は、上記入力系情報機器による色を上記第１の圧縮点算出工程で算出された圧縮点に対応する色に変換し、上記収れん点算出実行判定工程で無彩色であると判定した場合は、上記入力系情報機器による色を上記第２の圧縮点算出工程で算出された圧縮点に対応する色に変換する圧縮工程とを
含んだことを特徴とする色域圧縮方法。
【請求項１３】
上記収れん点算出工程は、
上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、
上記入力された色の色相が上記代表色の色相に対して中間の色相である場合は、上記入力系情報機器による色の色相に基づいて上記代表色の色相に対応する収れん点から線形補間した点の座標を収れん点として算出することを特徴とする請求項１２に記載の色域圧縮方法。
【請求項１４】
上記収れん点算出工程は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を収れん点として算出することを特徴とする請求項１２に記載の色域圧縮方法。
【請求項１５】
上記収れん点算出工程は、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を収れん点として算出することを特徴とする請求項１２、又は、請求項１４のいずれかに記載の色域圧縮方法。
【請求項１６】
上記収れん点算出工程は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、
上記第１の収れん点から上記第２の収れん点までの線分の色相に対する線形補間により決定される点の座標を収れん点として算出することを特徴とする請求項１２、又は、請求項１４、又は、請求項１５のいずれかに記載の色域圧縮方法。
【請求項１７】
上記収れん点算出工程は、
上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、
上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、
上記第２の収れん点から上記第１の収れん点までの線分の色相に対する線形補間により決定される点の座標を収れん点として算出することを特徴とする請求項１２、又は、請求項１４ないし請求項１６のいずれかに記載の色域圧縮方法。
【発明の詳細な説明】
【０００１】
【発明の属する技術分野】
この発明は、入力系情報機器によって表現される色を出力系情報機器によって再現可能な色域内の色に変換して色域を圧縮する色域圧縮装置及び色域圧縮方法に関し、例えば、色域が異なる入出力系情報機器で、出力系情報機器の色域外の色を出力系情報機器の色域内の色に圧縮する場合に、より視覚的に近いと感じる色に置き換える色域圧縮装置及び色域圧縮方法に関するものである。
【０００２】
【従来の技術】
カラー画像を処理するディスプレイ、プリンタ、スキャナなどの情報機器は、その情報機器に固有の入力又は出力可能な色の範囲、すなわち色域を有する。このようなそれぞれ固有の色域を有する異なる情報機器の間で画像信号を授受しカラー画像を処理する際に、例えば、ディスプレイ、プリンタなどの出力系情報機器による色域がスキャナ、ディスプレイなどの入力系情報機器による色域を包含している場合には、入力系情報機器における画像の色をそのまま出力系情報機器において表現することができる。しかし、出力系情報機器による色域が入力系情報機器による色域を包含していない場合には、入力系情報機器による色域内のうちの、出力系情報機器による色域外の色は、その出力系情報機器によりそのまま表現することができない。
【０００３】
したがって、このような出力系情報機器による色域外の色は、出力系情報機器による色域内の色に変換された後に出力される。すなわち、出力系情報機器による色域が入力系情報機器による色域を包含していない場合には、入力系情報機器による色を出力系情報機器による色域内の色に変換して色域を圧縮する色域圧縮が必要となる。
【０００４】
従来、このような色域圧縮方法として、例えば、本発明出願時に未公開であるＰＣＴ出願による国際出願番号ＰＣＴ／ＪＰ９８／０１７８５に記載された色域圧縮方法がある。図８は、従来の色域圧縮方法の概念を説明する説明図である。図８は、CIE/L*a*b*色空間における色域圧縮を示しており、L*は明度を表わしCは彩度を表わしている。つまりL*軸上（明度軸上）の色は無彩色を意味する。
【０００５】
この従来の色域圧縮方法は、上記出力系情報機器における色域外の色について、無彩色であるL*軸上に収れん点をとり、その収れん点を端点として入力系情報機器による色に対応する点を通過する半直線と、上記出力系情報機器による色域の輪郭点との交点に対応する色に変換し、色域圧縮するものであり、色連続性が高く、また収れん点がL*軸上にあるため演算処理が容易であるというものである。
【０００６】
【発明が解決しようとする課題】
ところで、色空間は色相に対して視覚的ずれを生じるということが分かっている。例えば、一般的に使われるCIE/L*a*b*色空間における、Cyan（以下、Cと表記する）、Blue（以下、Bと表記する）、Magenta（以下、Mと表記する）、Red（以下、Rと表記する）、Yellow（以下、Yと表記する）、Green（以下、Gと表記する）の順に並んだ各色相の領域において、C、Bの領域は色相が湾曲しており、従来の方式で色域圧縮を行うと、例えばBはC、Mの領域まで入り込みBの再現領域は拡大化され、C、Mの再現領域は縮小化され、C、Mのデジタル値の色を出力すると青成分が含まれるため、色相に対する視覚的ずれを生じることがある。
【０００７】
このように厳密には、上記色空間と視覚的特性との対応にずれがあり、等色相内での圧縮を行うと、圧縮前の画像と圧縮後の画像において視覚的に異なることがある。したがって、CIE/L*a*b*色空間を用いた従来の色域圧縮方法では、等色相内で圧縮を行うため、色相に対して高い視覚的整合性をとることは困難であるという問題があった。
【０００８】
この発明は上記のような問題点を解決するためになされたもので、色の連続性を損なうことなく色相に対する視覚的マッチング性の高い色に圧縮できる色域圧縮装置及び色域圧縮方法を得ることを目的とする。
【０００９】
【課題を解決するための手段】
この発明に係る色域圧縮装置は、入力系情報機器によって表現される色を出力系情報機器によって再現可能な色域内の色に変換して色域を圧縮するものであって、上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく座標を収れん点として算出する収れん点算出部と、当該収れん点と上記入力系情報機器による色に対応する点とを結ぶ略直線上で、かつ上記出力系情報機器による色域内のいずれかの点の座標を圧縮点として算出する第１の圧縮点算出部と、上記入力系情報機器による色を上記第１の圧縮点算出部により算出された圧縮点に対応する色に変換する圧縮部とを備えたものである。
【００１０】
また、次の発明に係る色域圧縮装置は、上記第１の圧縮点算出部は、上記収れん点と上記入力系情報機器による色に対応する点とを結ぶ略直線と、いずれかの色相における上記出力系情報機器による色域の輪郭との交点の座標を圧縮点として算出するように構成されたものである。
【００１１】
また、次の発明に係る色域圧縮装置は、上記入力系情報機器による色が有彩色であるか無彩色であるかを判定する収れん点算出実行判定部と、当該収れん点算出実行判定部が無彩色であると判定した場合に、上記出力系情報機器による色域内で彩度が０であるいずれかの点の座標を圧縮点として算出する第２の圧縮点算出部とを備え、上記圧縮部は、上記入力系情報機器による色を上記第２の圧縮点算出部により算出された圧縮点に対応する色に変換するように構成されたものである。
【００１２】
また、次の発明に係る色域圧縮装置は、上記収れん点算出部は、上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、上記入力された色の色相が上記代表色の色相に対して中間の色相である場合は、上記入力系情報機器による色の色相に基づいて上記代表色の色相に対応する収れん点から線形補間した点の座標を収れん点として算出するように構成されたものである。
【００１３】
また、次の発明に係る色域圧縮装置は、上記収れん点算出部は、上記入力系情報機器による色の色相が所定の数の上記入力系情報機器の代表色のうちの代表色Greenから代表色Cyan、代表色Blue、代表色Magentaまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたものである。
【００１４】
また、次の発明に係る色域圧縮装置は、上記収れん点算出部は、上記入力系情報機器による色の色相が所定の数の上記入力系情報機器の代表色のうちの代表色Redから代表色Yellowまでの色相のいずれかである場合は、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたものである。
【００１５】
また、次の発明に係る色域圧縮装置は、上記収れん点算出部は、上記入力系情報機器による色の色相が所定の数の上記入力系情報機器の代表色のうちの代表色Magentaから代表色Redまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第１の収れん点から上記第２の収れん点までの線分の色相に対する線形補間により決定される点の座標を収れん点として算出するように構成されたものである。
【００１６】
また、次の発明に係る色域圧縮装置は、上記収れん点算出部は、上記入力系情報機器による色の色相が所定の数の上記入力系情報機器の代表色のうちの代表色Yellowから代表色Greenまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第２の収れん点から上記第１の収れん点までの線分の色相に対する線形補間により決定される点の座標を収れん点として算出するように構成されたものである。
【００１７】
また、次の発明に係る色域圧縮装置は、上記収れん点算出部は、上記入力系情報機器による色に基づいて決定される色相での上記出力系情報機器の、彩度の最大値、色域の平均値、色域の重心値、色域の中央値の４値のいずれかの色と等明度であるいずれかの点の座標を収れん点として算出するように構成されたものである。
【００１８】
また、次の発明に係る色域圧縮装置は、上記収れん点算出部は、上記入力系情報機器による色に基づいて決定される色相での上記出力系情報機器の、彩度の最大値、色域の平均値における彩度の最大値、色域の重心値における彩度の最大値、色域の中央値における彩度の最大値の４値のいずれかをＣmax、任意のパラメータをkc（0＜kc＜1）としたときに、式（１）を満たす彩度Ｃnの点の座標を収れん点として算出するように構成されたものである。
Ｃn ＝ Kc×Ｃmax      （１）
【００１９】
また、次の発明に係る色域圧縮装置は、上記収れん点算出部は、上記収れん点と等色相、等彩度、かつ明度軸と平行な直線と、上記出力系情報機器による色域の輪郭とが交わる２点の間で、上記入力系情報機器による色の彩度に応じて決定される点を新たな収れん点として算出するように構成されたものである。
【００２０】
また、次の発明に係る色域圧縮装置は、上記収れん点算出部は、上記収れん点と等色相、等明度、かつ無彩色の色に対応する点と、上記収れん点との間で、上記入力された色の彩度に応じて決定される点を新たな収れん点として算出するように構成されたものである。
【００２１】
また、次の発明に係る色域圧縮装置は、上記収れん点算出部は、上記入力された色の彩度が任意所定の彩度ａ以上かまたはａ以下かを判定し、ａ以上の場合には上記収れん点を新たな収れん点とし、ａ未満の場合には上記収れん点と等色相、等明度、かつ無彩色の色に対応する点と、上記収れん点との間で、上記入力された色の彩度に応じて決定される点を新たな収れん点として算出するように構成されたものである。
【００２２】
さらにまた、次の発明に係る色域圧縮方法は、入力系情報機器によって表現される色を出力系情報機器によって再現可能な色域内の色に変換して色域を圧縮する方法であって、上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく座標を収れん点として算出する収れん点算出工程と、当該収れん点と上記入力系情報機器による色に対応する点とを結ぶ略直線上で、かつ上記出力系情報機器による色域内のいずれかの点の座標を圧縮点として算出する第１の圧縮点算出工程と、上記入力系情報機器による色を上記第１の圧縮点算出工程で算出された圧縮点に対応する色に変換する圧縮工程とを含んだ方法である。
【００２３】
また、次の発明に係る色域圧縮方法は、上記入力系情報機器による色が有彩色であるか無彩色であるかを判定する収れん点算出実行判定工程と、当該収れん点算出実行判定工程で無彩色であると判定した場合に、上記出力系情報機器による色域内で彩度が０であるいずれかの点の座標を圧縮点として算出する第２の圧縮点算出工程とを含み、上記圧縮工程は、上記入力系情報機器による色を上記第２の圧縮点算出工程で算出された圧縮点に対応する色に変換する方法である。
【００２４】
また、次の発明に係る色域圧縮方法は、上記収れん点算出工程は、上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、上記入力された色の色相が上記代表色の色相に対して中間の色相である場合は、上記入力系情報機器による色の色相に基づいて上記代表色の色相に対応する収れん点から線形補間した点の座標を収れん点として算出する方法である。
【００２５】
また、次の発明に係る色域圧縮方法は、上記収れん点算出工程は、上記入力系情報機器による色の色相が所定の数の上記入力系情報機器の代表色のうちの代表色Greenから代表色Cyan、代表色Blue、代表色Magentaまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を収れん点として算出する方法である。
【００２６】
また、次の発明に係る色域圧縮方法は、上記収れん点算出工程は、上記入力系情報機器による色の色相が所定の数の上記入力系情報機器の代表色のうちの代表色Redから代表色Yellowまでの色相のいずれかである場合は、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を収れん点として算出する方法である。
【００２７】
また、次の発明に係る色域圧縮方法は、上記収れん点算出工程は、上記入力系情報機器による色の色相が所定の数の上記入力系情報機器の代表色のうちの代表色Magentaから代表色Redまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第１の収れん点から上記第２の収れん点までの線分の色相に対する線形補間により決定される点の座標を収れん点として算出する方法である。
【００２８】
また、次の発明に係る色域圧縮方法は、上記収れん点算出工程は、上記入力系情報機器による色の色相が所定の数の上記入力系情報機器の代表色のうちの代表色Yellowから代表色Greenまでの色相のいずれかである場合は、上記入力系情報機器による代表色Blueに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cyanに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第２の収れん点から上記第１の収れん点までの線分の色相に対する線形補間により決定される点の座標を収れん点として算出する方法である。
【００２９】
【発明の実施の形態】
実施の形態１．
以下、この発明の色域圧縮方法及び色域圧縮装置における実施の形態１を説明する。
図１は実施の形態１の色域圧縮装置の構成を示す構成図である。図１において、１は例えばモニタなどの入力系情報機器２１からのカラー画像信号を制御装置２３から供給され、そのカラー画像信号による色のうち例えばプリンタ、ディスプレイなどの出力系情報機器２２による色域外の色を、その出力情報機器２２による色域内の色に変換し、変換後のカラー画像信号を変換カラー信号保持部２４に出力する色域圧縮部である。なお、上記カラー画像信号とは、色の明度、彩度、色相の情報を含み、例えばCIE/L*a*b*の色空間でベクトル演算可能な信号である。
【００３０】
上記色域圧縮装置１において、１０１は制御装置２３より供給されたカラー画像信号に対して色域圧縮処理を実行するか否かを判定し、色域圧縮処理を実行する場合には上記カラー画像信号を収れん点算出実行判定部１０２に出力し、色域圧縮処理を実行しない場合には上記カラー画像信号を色信号保持部１０７に出力する色域圧縮実行判定部であり、ここでは、上記制御装置２３より供給されたカラー画像信号による色が上記出力系情報機器２２の色域内に位置するか否かに基づいて、色域内に位置しない場合には色域圧縮処理を実行すると判定し、色域内に位置する場合には色域圧縮処理を実行しないと判定するように構成されている。
【００３１】
１０２は、上記圧縮実行判定部１０１より供給されたカラー画像信号に対する色域圧縮処理において収れん点算出処理を実行するか否かを判定し、収れん点算出処理を実行する場合には上記カラー画像信号を収れん点算出部１０３に出力し、収れん点算出処理を実行しない場合には上記カラー画像信号を第２の圧縮点算出部１０５に出力する収れん点算出実行判定部であり、ここでは、上記圧縮実行判定部１０１より供給されたカラー画像信号による色が有彩色であるか無彩色であるかを判定し、有彩色である場合には収れん点算出処理を実行すると判定し、無彩色である場合には収れん点算出処理を実行しないと判定するように構成されている。
【００３２】
１０３は、上記収れん点算出実行判定部１０２から供給されたカラー画像信号による色、すなわち上記入力系情報機器２１による色、に基づいて決定される色に対応する上記入力系情報機器２１のデジタル信号値を上記出力系情報機器２２で再現した色と等色相であり、上記出力系情報機器２２による色域内であり、かつ有彩色であるいずれかの点に基づく座標を収れん点として算出し、当該収れん点及び上記カラー画像信号を第１の圧縮点算出部１０４に出力する収れん点算出部である。
【００３３】
ただし、ここでは、上記収れん点算出実行判定部１０２から供給されたカラー画像信号による色の色相が上記入力系情報機器２１の代表色のいずれかと等色相の場合は、上記カラー画像信号による色に対応する上記入力系情報機器２１のデジタル信号値を上記出力系情報機器２２で再現した色と等色相であり、上記出力系情報機器２２の彩度の最大値の色と等明度であり、上記出力系情報機器２２による色域内であり、かつ有彩色であるいずれかの点の座標を収れん点とし、上記収れん点算出実行判定部１０２から供給されたカラー画像信号による色が上記入力系情報機器２１の代表色と等色相でない場合は、すなわち代表色の色相に対して中間の色相のカラー画像信号である場合は、隣り合う代表色の色相に対応する収れん点から線形補間した点の座標を収れん点とする。
【００３４】
ここで代表色とは、彩度最大値を出力する色のことで、例えばRGBデジタル信号においてはR(255,0,0)、G(0,255,0)、B(0,0,255)、C(0,255,255)、M(255,0,255)、Y(255,255,0)に相当する。すなわち、上記入力系情報機器２１のカラー画像信号が、R、Gなどの代表色の色相に対して中間の色相である場合は、例えば、上記カラー画像信号に基づいて、その色相と近い２つの代表色それぞれの収れん点から線形補間し、色相ごとに連続的に変化するように収れん点をとる。また、デジタル信号値は各情報機器に依存しない値であるが、各情報機器の色再現の基となる３つの基本色の特性が異なるため、等しいデジタル信号を授受した場合でも互いに異なる色となることがある。
【００３５】
１０４は、上記収れん点算出部１０３から供給された上記収れん点及びカラー画像信号に基づいて、上記収れん点と上記カラー画像信号による色に対応する点とを結ぶ略直線上で、かつ上記出力系情報機器２２による色域内のいずれかの点の座標を圧縮点として算出する第１の圧縮点算出部であり、ここでは、上記略直線と、いずれかの色相における上記出力系情報機器２２による色域の輪郭との交点の座標を圧縮点として算出するように構成されている。なお、上記略直線とは多少の湾曲や近似計算上の誤差のある線を含む。
【００３６】
１０５は、上記収れん点算出実行判定部１０２から供給されたカラー画像信号に基づいて、上記出力系情報機器２２による色域内で彩度が０であるいずれかの点の座標を圧縮点として算出する第２の圧縮点算出部であり、ここでは、上記出力系情報機器２２の色域内、かつ上記カラー画像信号による色に最も近い無彩色の点の座標を圧縮点として算出するように構成されている。
【００３７】
１０６は、上記第１の圧縮点算出部１０４により算出された圧縮点または上記第２の圧縮点算出部１０５により算出された圧縮点の座標を、対応するカラー画像信号に変換する圧縮部である。１０７は、上記圧縮実行判定部１０１により供給された上記出力系情報機器２２の色域内となるカラー画像信号をそのまま保持する色信号保持部である。
【００３８】
なお、上記色域圧縮部１においては、ルックアップテーブル（LUT）を用いても良い。ここでルックアップテーブルとは、検索表のことで、RGB空間とL*a*b*色空間の関係を対応表で保持するものである。上記RGB空間とL*a*b*色空間の関係を関係式で表わすものではないため処理がはやくなる。一方、上記RGB空間とL*a*b*色空間との関係において近似値を用いるため、正確な値を求めることはできない。しかし、ここではこのような近似値は正確な値に含まれるものとし、例えば等色相、等明度、最大彩度などは、略等色相、略等明度、略最大彩度などを含むものとする。
【００３９】
２４は、上記色域圧縮装置１から供給されたカラー画像信号を一括して保持する変換カラー画像信号保持部である。２５は、上記変換カラー画像信号保持部２４から供給されたカラー画像信号を基に、所定の画像処理、例えばエッジ処理などを施し、上記制御装置２３に出力する画像処理部である。２２は、上記制御装置２３から供給されたカラー画像信号を可視化する、例えばプリンタなどの出力系情報機器である。２３は、上記入力系情報機器２１及び出力系情報機器２２との間でカラー画像信号の授受を実行する制御装置である。
【００４０】
次に、色域圧縮の処理動作について説明する。なお、ここでは色域圧縮を行う色空間はCIE/L*a*b*であるとして説明する。
まず、入力系情報機器２１によるカラー画像信号が制御装置２３に供給されると、当該制御装置２３から上記カラー画像信号が色域圧縮装置１の圧縮実行判定部１０１に供給される。
【００４１】
上記圧縮実行判定部１０１は、上記制御装置２３より供給されたカラー画像信号による色と予め記憶された各色相ごとの出力系情報機器２２の色域とを比較して、色域圧縮処理を実行するか否かを判定し、上記カラー画像信号が上記出力系情報機器２２の色域内に位置しない場合には、色域処理を実行するとして上記カラー画像信号を収れん点算出実行判定部１０２に出力する。すると、当該収れん点算出実行判定部１０２は、上記圧縮実行判定部１０１より供給されたカラー画像信号による色が有彩色であるか無彩色であるかに基づいて、色域圧縮処理において収れん点算出処理を実行するか否かを判定し、有彩色である場合には収れん点算出処理を実行すると判定し、上記カラー画像信号を収れん点算出部１０３に出力する。
【００４２】
図２は、本実施の形態における色域圧縮の処理を説明する説明図である。図２に示すように、まず、収れん点算出部１０３は、上記収れん点算出実行判定部１０２から供給された上記カラー画像信号による色が、上記入力系情報機器２１の代表色と等色相であるか否かを判定し、等色相である場合は、上記カラー画像信号による色に対応する上記入力系情報機器２１のデジタル信号値を上記出力系情報機器２２で再現した色と等色相であり、上記出力系情報機器２２の彩度の最大値の色と等明度であり、上記出力系情報機器２２による色域内であり、かつ有彩色である色に対応したいずれかの点の座標を収れん点Scとし、当該収れん点及び上記カラー画像信号を第１の圧縮点算出部１０４に出力する。
【００４３】
また、上記収れん点算出実行判定部１０２から供給されたカラー画像信号による色が上記入力系情報機器２１の代表色と等色相でない場合は、隣り合う代表色の色相に対応する収れん点から線形補間により求められる色相ごとに連続的に変化する点の座標を収れん点Scとする。すなわち、例えば入力系情報機器２１の代表色Mから代表色Rの線分と、出力系情報機器２２の代表色M及び代表色Rに対応する収れん点の線分との線形補間により求められる色相ごとに連続的に変化する点の座標を収れん点Scとし、当該収れん点及び上記カラー画像信号を第１の圧縮点算出部１０４に出力する。
【００４４】
すると、上記第１の圧縮点算出部１０４は、上記収れん点算出部１０３から供給された上記収れん点及びカラー画像信号に基づいて、上記収れん点と上記カラー画像信号による色に対応する点とを結ぶ略直線と、いずれかの色相における上記出力系情報機器２２による色域の輪郭との交点の座標を圧縮点として算出し、圧縮部１０６に出力する。
【００４５】
当該圧縮部１０６は、上記第１の圧縮点算出部１０４により算出された圧縮点の座標を、対応するカラー画像信号に変換し、変換カラー信号保持部２４に出力する。
【００４６】
一方、上記収れん点算出実行判定部１０２は、収れん点算出処理を実行するか否かを判定した際に、上記圧縮実行判定部１０１より供給されたカラー画像信号による色が無彩色である場合には、収れん点算出処理を実行しないと判定し、上記カラー画像信号を第２の圧縮点算出部１０５に出力する。すると、当該圧縮点算出部１０５は、上記収れん点算出実行判定部１０２から供給されたカラー画像信号に基づいて、上記出力系情報機器２２の色域内、かつ上記カラー画像信号による色に最も近い無彩色点の座標を圧縮点として算出し、圧縮部１０６に出力する。
【００４７】
以降、前述のように上記圧縮部１０６は、上記第２の圧縮点算出部１０５により算出された座標を、対応するカラー画像信号に変換し、変換カラー信号保持部２４に出力する。
【００４８】
また、上記圧縮実行判定部１０１は、色域圧縮処理を実行するか否かを判定した際に、上記カラー画像信号が上記出力系情報機器２２の色域内に位置する場合には、色域処理を実行しないとして上記カラー画像信号を色信号保持部１０７に出力する。当該色信号保持部１０７は、上記カラー画像信号を一旦保持した後、上記変換カラー信号保持部２４に出力する。
【００４９】
その後、上記変換カラー信号保持部２４が、上記色域圧縮後のカラー画像信号を画像処理部２５に供給すると、当該画像処理部２５が、例えばエッジ処理などの画像処理を施し、上記制御装置２３に出力する。そして、当該制御装置２３が上記カラー画像信号を出力系情報機器２２に供給すると、当該出力系情報機器２２は、上記カラー画像信号を可視化する。
【００５０】
以上のように、本実施の形態の色域圧縮装置及び色域圧縮方法によれば、入力系情報機器によるカラー画像信号を出力系情報機器による色域内に色域圧縮する際に、上記カラー画像信号による色に対応する上記入力系情報機器のデジタル信号値を上記出力系情報機器で再現したカラー画像信号の色と等色相であり、上記出力系情報機器の彩度の最大値の色と等明度であり、上記出力系情報機器による色域内であり、かつ有彩色である色に対応した点を収れん点とし、上記収れん点と上記カラー画像信号による色に対応する点とを結ぶ略直線と、いずれかの色相における上記出力系情報機器による色域の輪郭との交点の座標を圧縮点として求め、上記入力系情報機器によるカラー画像信号をこの圧縮点に対応する色に圧縮することにより、圧縮後の色相ずれによる視覚的マッチング性の精度の低下を軽減できるとともに、収れん点を有彩色にとるため高明度及び低明度領域の色を彩度の高い色に圧縮することができ、視覚的マッチング性の高い色域圧縮を実現することができる。
【００５１】
また、収れん点算出部は、供給されたカラー画像信号が入力系情報機器の代表色と等色相でない場合は、すなわち代表色の色相に対して中間の色相のカラー画像信号である場合は、隣り合う代表色の色相に対する線形補間により求められる色相ごとに連続的に変化する点の座標を収れん点とすることにより、色相方向に連続性の良い色域圧縮を実現することができる。また、例えば代表色の色域のみを記憶しておけばすべての色相における収れん点を求めることができるので、予め各色相の色域を記憶しておくものと比較して少ない記憶容量で実現することができる。
【００５２】
また、上記入力系情報機器のカラー画像信号による色が無彩色である場合には、上記出力系情報機器による色域内、かつ上記カラー画像信号による色に最も近い無彩色の点の座標を圧縮点とし、上記入力系情報機器によるカラー画像信号をこの圧縮点に対応する色に圧縮することにより、無彩色である上記入力系情報機器のカラー画像信号による色が有彩色に圧縮されることがないため、白及び黒色を保存し、色の階調性を損なうことなく色域圧縮することができる。
【００５３】
なお、本実施の形態においては、圧縮を行う色空間は、CIE/L*a*b*である場合について説明したが、その他の色空間、例えばRGB、CIE/L*u*v*、CIE/XYZ等であっても良いことは言うまでもない。
【００５４】
また、本実施の形態においては、収れん点算出部は、カラー画像信号による色に対応する上記入力系情報機器のデジタル信号値を上記出力系情報機器で再現したカラー画像信号の色と等色相であり、上記出力系情報機器の彩度の最大値の色と等明度であり、上記出力系情報機器による色域内であり、かつ有彩色であるいずれかの点を収れん点として算出する場合について説明したが、上記収れん点算出部は、カラー画像信号による色に対応する上記入力系情報機器のデジタル信号値を上記出力系情報機器で再現したカラー画像信号の色と等色相であり、当該色相での出力系情報機器による色域の平均値、重心値、中央値の３値のいずれかの色と等明度であり、上記出力系情報機器による色域内であり、かつ有彩色であるいずれかの点の座標を収れん点として算出するものであっても本実施の形態と同様の効果を得ることができる。
【００５５】
なお、ここで色域の平均値とは、所定の色空間において出力系情報機器により表現可能な色の空間内での所定の数のサンプル点について、サンプル点の色の各成分の総和をサンプル点数でそれぞれ除して得られる座標値である。また、色域の重心値とは、所定の色空間において出力系情報機器により表現可能な色の空間内での所定の数のサンプル点についてサンプル点の色の各成分の重み付き総和をサンプル点数でそれぞれ除して得られる座標値である。また、色域の中央値とは、色空間の各軸成分についての出力系情報機器により表現可能な色の空間のメジアン値である。
【００５６】
また、本実施の形態においては、圧縮点算出部は、収れん点と上記カラー画像信号による色に対応する点とを結ぶ略直線と、いずれかの色相における出力系情報機器による色域の輪郭との交点の座標を圧縮点として算出する場合について説明したが、圧縮点の算出において、近似色空間座標を用いる場合には上記交点の最近接点を圧縮点とするか、または上記交点の近接点の複数点から重み付け演算により求めた点を圧縮点としてもよい。
【００５７】
実施の形態２．
以上の実施の形態では、カラー画像信号による色に対応する入力系情報機器のデジタル信号値を出力系情報機器で再現した色と等色相であり、上記出力系情報機器による色域内であり、かつ有彩色であるいずれかの点を収れん点として算出するものであるが、次に、所定の線分上に収れん点をとる場合の実施の形態を示す。
【００５８】
図３は、本実施の形態における色域圧縮の処理を説明する説明図である。図３において、S1は出力系情報機器２２で代表色Bを再現した色と等色相であるいずれかの点、例えば上記色相における彩度の最大値の色と等明度であるいずれかの点であり、S2は上記出力系情報機器２２で代表色Cを再現した色と等色相であるいずれかの点、例えば、上記色相における彩度の最大値の色と等明度であるいずれかの点である。
【００５９】
本実施の形態において上記収れん点算出部１０３は、上記収れん点算出実行判定部１０２から供給されたカラー画像信号に基づいて、当該カラー画像信号による色の色相が上記入力系情報機器２１の代表色Gの色相からC、B、Mまでの色相のいずれかである場合は、上記出力系情報機器２２で代表色Bを再現した色と等色相であるいずれかの点S1を収れん点とし、上記カラー画像信号による色の色相が上記入力系情報機器２１の代表色Rの色相からYまでの色相のいずれかである場合は、上記出力系情報機器２２で代表色Cを再現した色と等色相であるいずれかの点S2を収れん点とし、上記カラー画像信号による色の色相が上記入力系情報機器２１の代表色Mの色相からRまでの色相のいずれかである場合は、式（２）を満たすように、上記点S１から点S2までの線分の色相に対する線形補間により決定される点Scを収れん点とし、上記カラー画像信号による色の色相が上記入力系情報機器２１の代表色Yの色相からGまでの色相のいずれかである場合は、式（３）を満たすように、上記点S2から点S1までの線分を色相に対する線形補間により決定される点Scを収れん点として算出するように構成されている。
【００６０】
0004164944.tif 000002
【００６１】
0004164944.tif 000003
【００６２】
なお、式（２）及び式（３）において、Sv1及びSv2は図３中に示す線分S1S2の端点S1、S2の位置ベクトルであり、Svcは、求められる収れん点Scの位置ベクトルである。また、ＨCは圧縮対象となるカラー画像信号による色Ｃの色相、ＨMは入力系情報機器２１の代表色Mの色相、ＨRは入力系情報機器２１の代表色Rの色相、ＨYは入力系情報機器２１の代表色Yの色相、ＨGは入力系情報機器２１の代表色Gの色相である。
【００６３】
以上のように、本実施の形態の色域圧縮装置及び色域圧縮方法によれば、カラー画像信号による色の色相が入力系情報機器の代表色Gの色相からC、B、Mまでの色相のいずれかである場合は、出力系情報機器で代表色Bを再現した色と等色相であるいずれかの点S1を収れん点とすることにより、代表色GからC、B、Mの色相において圧縮方向がB方向に向くため、視覚的マッチング性の高い色域圧縮を実現することができる。
【００６４】
また、上記カラー画像信号による色の色相が上記入力系情報機器の代表色Rの色相からYまでの色相のいずれかである場合は、上記出力系情報機器で代表色Cを再現した色と等色相であるいずれかの点S2を収れん点とすることにより、代表色RからYの色相において圧縮方向がC方向に向くため、視覚的マッチング性の高い色域圧縮を実現することができる。
【００６５】
また、上記カラー画像信号による色の色相が上記入力系情報機器の代表色Mの色相からRまでの色相のいずれかである場合は、式（２）を満たすように、上記点S１から点S2までの線分を色相に対する線形補間により決定される点Scを収れん点とすることにより、代表色MからRの色相において圧縮方向がB及びC方向に向くため、視覚的マッチング性の高い色域圧縮を実現することができる。
【００６６】
また、上記カラー画像信号による色の色相が上記入力系情報機器の代表色Yの色相からGまでの色相のいずれかである場合は、式（３）を満たすように、上記点S2から点S1までの線分を色相に対する線形補間により決定される点Scを収れん点とすることにより、代表色YからGの色相において圧縮方向がB及びC方向に向くため、視覚的マッチング性の高い色域圧縮を実現することができる。
【００６７】
また、収れん点を全色相ごとに算出せず、所定の色相について固定し、所定の少数の色相に対して算出することにより、計算が容易となるとともに、処理速度が速くなる。
【００６８】
実施の形態３．
以上の実施の形態は、いずれかの色相における出力系情報機器による色域内であり、かつ有彩色であるいずれか一つの点を収れん点として算出ものであるが、次に、彩度のパラメータを用いて収れん点を算出する場合の実施の形態を示す。
【００６９】
図４は、本実施の形態における色域圧縮の処理を説明する説明図である。図４において、Scは各色相で出力系情報機器の彩度が最大となる色と等明度上にとり、無彩色のときは０、彩度最大のときを１とする無彩色軸からの距離を表わすパラメータKc（0＜Kc＜1）を用いて演算された収れん点である。
【００７０】
本実施の形態において上記収れん点算出部１０３は、上記収れん点算出実行判定部１０２から供給されたカラー画像信号による色に基づいて決定される色相での上記出力系情報機器２２の彩度の最大値の色と等明度であり、上記出力系情報機器２２による色域内であり、かつ有彩色で、彩度は式（１）を満たす一点を収れん点として算出するように構成されている。ここでは、上記カラー画像信号による色に基づいて決定される色相は、上記カラー画像信号による色に対応する上記入力系情報機器２１のデジタル信号値を上記出力系情報機器２２で再現した色と等色相であるとする。
【００７１】
Ｃn ＝ Kc×Ｃmax      （１）
【００７２】
なお、式（１）におて、Ｃnは収れん点の彩度、Ｃmaxは上記カラー画像信号に対応する入力系情報機器２１のデジタル信号値を出力系情報機器２２で再現したカラー画像信号の色と等色相での上記出力系情報機器２２の彩度の最大値である。
【００７３】
以上のように、本実施の形態の色域圧縮装置及び色域圧縮方法によれば、彩度をパラメータとして収れん点を算出することにより、例えば、より高彩度の出力画像が望ましい場合は0.5＜Kc＜1となるKcを設定すればより彩度の高い画像を得ることができ、また、彩度の低めの画像が好ましい場合は0＜Kc＜0.5となるKcを設定すれば、高明度及び低明度だけではなく中間色についてもより彩度の低い画像を得ることができ、パラメータKcを変更するのみで容易に出力画像の彩度を変化させることができる。
【００７４】
なお、本実施の形態では、Ｃmaxは入力系情報機器のカラー画像信号による色と等色相での上記出力系情報機器の彩度の最大値とし、入力系情報機器のカラー画像信号による色と等色相での上記出力系情報機器の彩度の最大値の色と等明度に収れん点をとる場合について説明したが、これに限定されるものではない。例えば、入力系情報機器のカラー画像信号による色と等色相での上記出力系情報機器による色域の平均値と等明度に収れん点をとる場合は、Ｃmaxは入力系情報機器のカラー画像信号による色と等色相での上記出力系情報機器による色域の平均値における彩度の最大値とし、また、入力系情報機器のカラー画像信号による色と等色相での上記出力系情報機器による色域の重心値と等明度に収れん点をとる場合は、Ｃmaxは入力系情報機器のカラー画像信号による色と等色相での上記出力系情報機器による色域の重心値における彩度の最大値とし、また、入力系情報機器のカラー画像信号による色と等色相での上記出力系情報機器による色域の中央値と等明度に収れん点をとる場合は、Ｃmaxは入力系情報機器のカラー画像信号による色と等色相での上記出力系情報機器による色域の中央値における彩度の最大値としても良く、本実施の形態と同様の効果を得ることができる。
【００７５】
また、本実施の形態では、カラー画像信号による色に基づいて決定される色相は、上記カラー画像信号による色に対応する上記入力系情報機器のデジタル信号値を上記出力系情報機器で再現した色と等色相であ場合について説明したが、例えば、前述の実施の形態２のように、カラー画像信号による色の色相が入力系情報機器の代表色Gの色相からC、B、Mまでの色相のいずれかであるときに、出力系情報機器で代表色Bを再現した色と等色相であるいずれかの点S1を収れん点とする場合は、上記カラー画像信号による色に基づいて決定される色相を、上記出力系情報機器の代表色Bと等色相としても良い。また、カラー画像信号による色の色相が上記入力系情報機器の代表色Rの色相からYまでの色相のいずれかであるときに、上記出力系情報機器で代表色Cを再現した色と等色相であるいずれかの点S2を収れん点とする場合は、上記カラー画像信号による色に基づいて決定される色相を、上記出力系情報機器の代表色Cと等色相としても良い。
【００７６】
実施の形態４．
以上の実施の形態では、各色相ごとに収れん点を一点とるものであるが、次に、各色相で上記収れん点を基に明度方向に複数の収れん点をとる場合の実施の形態を示す。
【００７７】
図５は、本実施の形態における色域圧縮の処理を説明する説明図である。図５において、Scは例えば前述の実施の形態２で算出された収れん点、S3、S4は上記収れん点Scと等色相、等彩度、かつ明度軸と平行な直線と出力系情報機器による色域とが交わる２点で、S3は明度最小値またS4は明度最大値である。
【００７８】
本実施の形態において上記収れん点算出部１０３は、上記収れん点Scと等色相、等彩度、かつ明度軸と平行な直線と出力系情報機器による色域とが交わる２点の間で、上記カラー画像信号による色の彩度に応じて決定される点を新たに収れん点として算出するように構成されている。
【００７９】
すなわち、上記収れん点算出部１０３は、上記収れん点Scを基準として、まず、上記収れん点Scと等色相、等彩度、かつ明度軸と平行な直線と出力系情報機器による色域の輪郭とが交わる２点の明度最大値S4と明度最小値S3を演算する。そして、例えば式（４）を満たすように収れん点の明度最大値Ｌuと明度最小値Ｌbを演算し、上記カラー画像信号による色が上記収れん点Scよりも高明度領域にある場合（明度Ｌc以上の場合）には、上記カラー画像信号による色の彩度に比例して、S4からScまで変化させた点を収れん点として算出し、上記カラー画像信号による色が上記収れん点Scよりも低明度領域にある場合（明度Ｌc以下の場合）には、上記カラー画像信号による色の彩度に比例して、ScからS3まで変化させた点を収れん点として算出する。
【００８０】
Ｌc以上の場合  Ｌu ＝ （Ｌmax−Ｌc） × Kl ＋ Ｌc      （４）
Ｌc以下の場合  Ｌb ＝ （Ｌmin−Ｌc） × Kl ＋ Ｌc
【００８１】
なお、式（４）において、Ｌuは高明度側にとる収れん点の明度最大値、Ｌbは低明度側にとる収れん点の明度最小値、Ｌmax及びＬminは基となる収れん点と等色相、等彩度、かつ明度軸と平行な直線と出力系情報機器による色域とが交わる２点の明度である。Ｌcは上記基となる収れん点の明度、Klは0＜Kl＜1のパラメータである。
【００８２】
以上のように、本実施の形態の色域圧縮装置及び色域圧縮方法によれば、カラー画像信号の彩度に応じて収れん点の明度を変化させるため、色相に対する視覚的マッチング性の精度が高くなるだけではなく、高明度及び低明度領域では前述の実施より彩度の高い画像を得ることができる。
【００８３】
なお、本実施の形態においては、S3、S4は上記収れん点Scと等色相、等彩度、かつ明度軸と平行な直線と出力系情報機器による色域とが交わる２点としているが、近似色空間を用いる場合は、上記２交点の各々の最近接点の点とするか、または上記２交点の近接点となる複数点の重み付け演算により求められた点とそてもよい。
【００８４】
また、本実施の形態においては、上記カラー画像信号による色が上記収れん点Scよりも高明度領域にある場合には、上記カラー画像信号による色の彩度に比例して、S4からScまで変化させた点を収れん点とし、上記カラー画像信号による色が上記収れん点Scよりも低明度領域にある場合には、上記カラー画像信号による色の彩度に比例して、ScからS3まで変化させた点を収れん点とする場合について説明したが、図６に示すように、上記カラー画像信号による色が上記収れん点Scよりも高明度領域にある場合には、上記カラー画像信号による色の彩度に比例して、S3からScまで変化させた点を収れん点とし、上記カラー画像信号による色が上記収れん点Scよりも低明度領域にある場合には、上記カラー画像信号による色の彩度に比例して、ScからS4まで変化させた点としても良い。この場合、高明度及び低明度領域だけでなく中間色領域も彩度が高い画像を得ることができる。
【００８５】
実施の形態５．
以上の実施の形態では、各色相ごとに収れん点を明度方向に複数点とるものであるが、次に各色相で彩度方向に複数点とる場合の実施の形態を示す。
【００８６】
図７は、本実施の形態における色域圧縮の処理を説明する説明図である。図７において、Scは、例えば前述の実施の形態２で演算された収れん点、S5は上記収れん点Scと等明度、かつ無彩色の色に対応する点である。ａは任意の彩度であり、ここでは式（５）で表わされる無彩色軸からの距離を表わす。ここでＣcはScの彩度である。
【００８７】
Ｃc*１／４＜ ａ ＜  Ｃc*１／２      （５）
【００８８】
本実施の形態において上記収れん点算出部１０３は、各色相において上記入力系情報機器のカラー画像信号による色の彩度がａ以上またはａ以下であるかの判定を行い、ａ以上の場合にはScを収れん点とし、ａ未満の場合にはS5とScとの間で、上記カラー画像信号による色の彩度に応じて決定される点Snを新たに収れん点として算出するように構成されている。
【００８９】
例えば、彩度がａ未満にある任意のカラー画像信号による色の彩度をｂとすると、上記収れん点算出部１０３は、この任意のカラー画像信号による色の収れん点Snの彩度Ｃsnは式（６）を満たすように演算して収れん点Snを求める。すなわち、ａ未満の場合圧縮すべき色域外有彩色の彩度に比例してScと等明度を保ちつつ無彩色軸方向に彩度を変動させるようにする。
【００９０】
Ｃsn =ｂ／ａ＊ ScS5      （６）
【００９１】
以上のように、本実施の形態の色域圧縮装置及び色域圧縮方法によれば、収れん点Scと等色相、等明度、かつ無彩色の色に対応する点S5と、上記収れん点Scとの間で、カラー画像信号による色の彩度に応じて決定される点を収れん点とすることにより、上記カラー画像信号による色の彩度に応じて収れん点の彩度が変化するので、出力系情報機器による出力画像の色の連続性をより確保することができる。
【００９２】
また、カラー画像信号による色の彩度が任意の彩度ａ以上の場合にはScを収れん点とし、ａ未満の場合には上記S5と上記収れん点Scとの間で、カラー画像信号による色の彩度に応じて決定される点を収れん点とすることにより、特に、白及び黒周辺の連続性をより確保することができる。
【００９３】
【発明の効果】
以上のように、この発明の色域圧縮装置によれば、入力系情報機器によって表現される色を出力系情報機器によって再現可能な色域内の色に変換して色域を圧縮するものであって、上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく座標を収れん点として算出する収れん点算出部と、当該収れん点と上記入力系情報機器による色に対応する点とを結ぶ略直線上で、かつ上記出力系情報機器による色域内のいずれかの点の座標を圧縮点として算出する第１の圧縮点算出部と、上記入力系情報機器による色を上記第１の圧縮点算出部により算出された圧縮点に対応する色に変換する圧縮部とを備えたことにより、色の連続性を損なうことなく圧縮後の色相ずれによる視覚的マッチング性の精度の低下を軽減できるとともに、収れん点を有彩色にとるため高明度及び低明度領域の色を彩度の高い色に圧縮することができ、視覚的マッチング性の高い色域圧縮を実現することができるという効果がある。
【００９４】
また、次の発明の色域圧縮装置によれば、上記第１の圧縮点算出部は、上記収れん点と上記入力系情報機器による色に対応する点とを結ぶ略直線と、いずれかの色相における上記出力系情報機器による色域の輪郭との交点の座標を圧縮点として算出するように構成されたことにより、色の連続性を損なうことなく圧縮後の色相ずれによる視覚的マッチング性の精度の低下を軽減できるとともに、収れん点を有彩色にとるため高明度及び低明度領域の色を彩度の高い色に圧縮することができ、視覚的マッチング性の高い色域圧縮を実現することができるという効果がある。
【００９５】
また、次の発明の色域圧縮装置によれば、上記入力系情報機器による色が有彩色であるか無彩色であるかを判定する収れん点算出実行判定部と、当該収れん点算出実行判定部が無彩色であると判定した場合に、上記出力系情報機器による色域内で彩度が０であるいずれかの点の座標を圧縮点として算出する第２の圧縮点算出部とを備え、上記圧縮部は、上記入力系情報機器による色を上記第２の圧縮点算出部により算出された圧縮点に対応する色に変換するように構成されたことにより、無彩色である上記入力系情報機器による色が有彩色に圧縮されることがないため、白及び黒色を保存し、色の階調性を損なうことなく色域圧縮することができるという効果がある。
【００９６】
また、次の発明の色域圧縮装置によれば、上記収れん点算出部は、上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、上記入力された色の色相が上記代表色の色相に対して中間の色相である場合は、上記入力系情報機器による色の色相に基づいて上記代表色の色相に対応する収れん点から線形補間した点の座標を収れん点として算出するように構成されたことにより、色相方向に連続性の良い色域圧縮を実現することができ、また、例えば代表色の色域のみを記憶しておけばすべての色相における収れん点を求めることができるので、予め各色相の色域を記憶しておくものと比較して少ない記憶容量で実現することができるという効果がある。
【００９７】
また、次の発明の色域圧縮装置によれば、上記収れん点算出部は、上記入力系情報機器による色の色相が所定の数の上記入力系情報機器の代表色のうちの代表色Gから代表色C、代表色B、代表色Mまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたことにより、代表色GからC、B、Mの色相において圧縮方向がB方向に向くため、視覚的マッチング性の高い色域圧縮を実現することができるという効果がある。
【００９８】
また、次の発明の色域圧縮装置によれば、上記収れん点算出部は、上記入力系情報機器による色の色相が所定の数の上記入力系情報機器の代表色のうちの代表色Rから代表色Yまでの色相のいずれかである場合は、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を収れん点として算出するように構成されたことにより、代表色RからYの色相において圧縮方向がC方向に向くため、視覚的マッチング性の高い色域圧縮を実現することができるという効果がある。
【００９９】
また、次の発明の色域圧縮装置によれば、上記収れん点算出部は、上記入力系情報機器による色の色相が所定の数の上記入力系情報機器の代表色のうちの代表色Mから代表色Rまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第１の収れん点から上記第２の収れん点までの線分の色相に対する線形補間により決定される点の座標を収れん点として算出するように構成されたことにより、代表色MからRの色相において圧縮方向がB及びC方向に向くため、視覚的マッチング性の高い色域圧縮を実現することができるという効果がある。
【０１００】
また、次の発明の色域圧縮装置によれば、上記収れん点算出部は、上記入力系情報機器による色の色相が所定の数の上記入力系情報機器の代表色のうちの代表色Yから代表色Gまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第２の収れん点から上記第１の収れん点までの線分の色相に対する線形補間により決定される点の座標を収れん点として算出するように構成されたことにより、代表色YからGの色相において圧縮方向がB及びC方向に向くため、視覚的マッチング性の高い色域圧縮を実現することができるという効果がある。
【０１０１】
また、次の発明の色域圧縮装置によれば、上記収れん点算出部は、上記入力系情報機器による色に基づいて決定される色相での上記出力系情報機器の、彩度の最大値、色域の平均値、色域の重心値、色域の中央値の４値のいずれかの色と等明度であるいずれかの点の座標を収れん点として算出するように構成されたことにより、より視覚的マッチング性の高い色域圧縮を実現することができるという効果がある。
【０１０２】
また、次の発明の色域圧縮装置によれば、上記収れん点算出部は、上記入力系情報機器による色に基づいて決定される色相での上記出力系情報機器の、彩度の最大値、色域の平均値における彩度の最大値、色域の重心値における彩度の最大値、色域の中央値における彩度の最大値の４値のいずれかをＣmax、任意のパラメータをkc（0＜kc＜1）としたときに、式（１）を満たす彩度Ｃnの点の座標を収れん点として算出するように構成されたことにより、より視覚的マッチング性の高い色域圧縮を実現することができるともに、彩度をパラメータとして収れん点を算出するので、パラメータKcを変更するのみで容易に出力画像の彩度を変化させることができ、出力系情報機器による再現画像の全体の彩度調整が容易に行うことができるという効果がある。
Ｃn ＝ Kc×Ｃmax      （１）
【０１０３】
また、次の発明の色域圧縮装置によれば、上記収れん点算出部は、上記収れん点と等色相、等彩度、かつ明度軸と平行な直線と、上記出力系情報機器による色域の輪郭とが交わる２点の間で、上記入力系情報機器による色の彩度に応じて決定される点を新たな収れん点として算出するように構成されたことにより、色相に対する視覚的マッチング性の精度が高くなるだけではなく、高明度及び低明度領域で、より彩度の高い画像を得ることができるという効果がある。
【０１０４】
また、次の発明の色域圧縮装置によれば、上記収れん点算出部は、上記収れん点と等色相、等明度、かつ無彩色の色に対応する点と、上記収れん点との間で、上記入力された色の彩度に応じて決定される点を新たな収れん点として算出するように構成されたことにより、出力系情報機器による再現画像の色の連続性をより確保することができるという効果がある。
【０１０５】
また、次の発明の色域圧縮装置によれば、上記収れん点算出部は、上記入力された色の彩度が任意所定の彩度ａ以上かまたはａ以下かを判定し、ａ以上の場合には上記収れん点を新たな収れん点とし、ａ未満の場合には上記収れん点と等色相、等明度、かつ無彩色の色に対応する点と、上記収れん点との間で、上記入力された色の彩度に応じて決定される点を新たな収れん点として算出するように構成されたことにより、特に、白及び黒周辺における出力系情報機器による再現画像の色の連続性を確保することができるという効果がある。
【０１０６】
さらにまた、次の発明の色域圧縮方法によれば、入力系情報機器によって表現される色を出力系情報機器によって再現可能な色域内の色に変換して色域を圧縮する方法であって、上記入力系情報機器による色に基づいて決定される色に対応する上記入力系情報機器のデジタル信号値を上記出力系情報機器で再現した色と等色相であり、上記出力系情報機器による色域内であり、かつ有彩色であるいずれかの点に基づく座標を収れん点として算出する収れん点算出工程と、当該収れん点と上記入力系情報機器による色に対応する点とを結ぶ略直線上で、かつ上記出力系情報機器による色域内のいずれかの点の座標を圧縮点として算出する第１の圧縮点算出工程と、上記入力系情報機器による色を上記第１の圧縮点算出工程で算出された圧縮点に対応する色に変換する圧縮工程とを
含んだことにより、色の連続性を損なうことなく圧縮後の色相ずれによる視覚的マッチング性の精度の低下を軽減できるとともに、収れん点を有彩色にとるため高明度及び低明度領域の色を彩度の高い色に圧縮することができ、視覚的マッチング性の高い色域圧縮を実現することができるという効果がある。
【０１０７】
また、次の発明の色域圧縮方法によれば、上記入力系情報機器による色が有彩色であるか無彩色であるかを判定する収れん点算出実行判定工程と、当該収れん点算出実行判定工程で無彩色であると判定した場合に、上記出力系情報機器による色域内で彩度が０であるいずれかの点の座標を圧縮点として算出する第２の圧縮点算出工程とを含み、上記圧縮工程は、上記入力系情報機器による色を上記第２の圧縮点算出工程で算出された圧縮点に対応する色に変換することにより、無彩色である上記入力系情報機器による色が有彩色に圧縮されることがないため、白及び黒色を保存し、色の階調性を損なうことなく色域圧縮することができるという効果がある。
【０１０８】
また、次の発明の色域圧縮方法によれば、上記収れん点算出工程は、上記入力系情報機器による色の色相が所定の数の上記入力系情報機器の代表色のいずれかと等色相である場合は、上記色に対応する上記入力系情報機器のデジタル信号値を上記出力系情報機器で再現した色と等色相であり、上記出力系情報機器による色域内であり、かつ有彩色であるいずれかの点の座標を収れん点として算出し、上記入力された色の色相が上記代表色の色相に対して中間の色相である場合は、上記入力系情報機器による色の色相に基づいて上記代表色の色相に対応する収れん点から線形補間した点の座標を収れん点として算出することにより、色相方向に連続性の良い色域圧縮を実現することができ、また、例えば代表色の色域のみを記憶しておけばすべての色相における収れん点を求めることができるので、予め各色相の色域を記憶しておくものと比較して少ない記憶容量で実現することができるという効果がある。
【０１０９】
また、次の発明の色域圧縮方法によれば、上記収れん点算出工程は、上記入力系情報機器による色の色相が所定の数の上記入力系情報機器の代表色のうちの代表色Gから代表色C、代表色B、代表色Mまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を収れん点として算出することにより、代表色GからC、B、Mの色相において圧縮方向がB方向に向くため、視覚的マッチング性の高い色域圧縮を実現することができるという効果がある。
【０１１０】
また、次の発明の色域圧縮方法によれば、上記収れん点算出工程は、上記入力系情報機器による色の色相が所定の数の上記入力系情報機器の代表色のうちの代表色Rから代表色Yまでの色相のいずれかである場合は、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を収れん点として算出することにより、代表色RからYの色相において圧縮方向がC方向に向くため、視覚的マッチング性の高い色域圧縮を実現することができるという効果がある。
【０１１１】
また、次の発明の色域圧縮方法によれば、上記収れん点算出工程は、上記入力系情報機器による色の色相が所定の数の上記入力系情報機器の代表色のうちの代表色Mから代表色Rまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第１の収れん点から上記第２の収れん点までの線分の色相に対する線形補間により決定される点の座標を収れん点として算出することにより、代表色MからRの色相において圧縮方向がB及びC方向に向くため、視覚的マッチング性の高い色域圧縮を実現することができるという効果がある。
【０１１２】
また、次の発明の色域圧縮方法によれば、上記収れん点算出工程は、上記入力系情報機器による色の色相が所定の数の上記入力系情報機器の代表色のうちの代表色Yから代表色Gまでの色相のいずれかである場合は、上記入力系情報機器による代表色Bに対応する上記入力系情報機器のデジタル信号値を上記出力系情報機器で再現した色と等色相であり、上記出力系情報機器による色域内であり、かつ有彩色であるいずれかの点の座標を第１の収れん点として求め、上記入力系情報機器による代表色Cに対応する上記入力系情報機器のデジタル信号値を上記出力系情報機器で再現した色と等色相であり、上記出力系情報機器による色域内であり、かつ有彩色であるいずれかの点の座標を第２の収れん点として求め、上記第２の収れん点から上記第１の収れん点までの線分の色相に対する線形補間により決定される点の座標を収れん点として算出することにより、代表色YからGの色相において圧縮方向がB及びC方向に向くため、視覚的マッチング性の高い色域圧縮を実現することができるという効果がある。
【図面の簡単な説明】
【図１】  実施の形態１における色域圧縮装置の構成を示す構成図である。
【図２】  実施の形態１における色域圧縮の処理を説明する説明図である。
【図３】  実施の形態２における色域圧縮の処理を説明する説明図である。
【図４】  実施の形態３における色域圧縮の処理を説明する説明図である。
【図５】  実施の形態４における色域圧縮の処理を説明する説明図である。
【図６】  実施の形態４におけるその他の色域圧縮の処理を説明する説明図である（クロスオーバー）。
【図７】  実施の形態５における色域圧縮の処理を説明する説明図である。
【図８】  従来の色域圧縮の処理を説明する説明図である。
【符号の説明】
１  色域圧縮装置                    １０１  圧縮実行判定部
１０２  収れん点算出実行判定部      １０３  収れん点算出部
１０４  第１の圧縮点算出部          １０５  第２の圧縮点算出部
１０６  圧縮部                      １０７  色信号保持部
２１  入力系情報機器                ２２  出力系情報機器
２３  制御装置                      ２４  変換カラー信号保持部
２５  画像処理部
【図１】
0004164944.tif 000004
【図２】
0004164944.tif 000005
【図３】
0004164944.tif 000006
【図４】
0004164944.tif 000007
【図５】
0004164944.tif 000008
【図６】
0004164944.tif 000009
【図７】
0004164944.tif 000010
【図８】
0004164944.tif 000011